(57)【要約】      （修正有）【課題】二個を一対として使用し、容易に洗濯物を干すことができる物干しハンガーを提供する。【解決手段】単一の線状体で形成されるハンガー本体１の水平吊り渡しに、複数の洗濯ばさみ１０と複数のビーズ１４とに穿設した通孔を交互に通し、正逆方向に回転可能な洗濯ばさみとビーズを配設する。【選択図】図１
0003181722.tif 000002
【実用新案登録請求の範囲】
【請求項１】
単一の線状体を折り曲げて吊り下げ用のフックを形成する垂直な吊り下げと略三角形状のフレームとが形成された物干しハンガーにおいて、単一の線状体で形成されるハンガー本体の水平吊り渡しに、複数の洗濯ばさみとビーズとに穿設した通孔を交互に通し、正逆方向に回転可能に配設したことを特徴とする物干しハンガー。
【考案の詳細な説明】
【技術分野】
【０００１】  本考案は、洗濯物を干すために使用するハンガーに関する。
【背景技術】
【０００２】  従来、洗濯物を干すハンガーとしては、単一の針金を折り曲げて作られた簡易なハンガーが多用されている。【０００３】  また、単一の線状体を曲折して形成するハンガーの水平な吊り渡しに洗濯ばさみを取り付けたものが提供されていた。【０００４】  例えば、ハンガーの下方に設けられた横架材に一対の狭持部材を備え、当該挟持部材の中間支点部と連結片に横架材を通し、前記挟持部材が横架部材の方向に搖動可動にしてなる衣服ハンガーが提案されている（特許文献１（３頁）参照）。【０００５】  また、略方形状枠体の物干し用ハンガーにおいて、対向する囲枠体を構成するコーナー部に取付ける各支杆材に、複数の洗濯ばさみと筒状スペーサを遊動自在に配設させて成る、ハンガー式洗濯物干し具が提案されている（特許文献２（２頁、３頁）参照）。【０００６】  なお、略方形状枠体の物干しハンガーにおいて、対向する長側枠体部と平行に紐を介して複数の洗濯ばさみを配列してなる、洗濯ばさみ付きハンガーも提案されている（特許文献３（２頁）参照）。【０００７】  さらに、略三角形状のフレームの上部中央にフックを曲折した垂直吊り下げを形成した物干しハンガーにおいて、前記フレームの水平な吊り渡しに、複数の突起を備え複数の洗濯ばさみが摺動不能に配列されたことを特徴とする、物干しハンガーが提案されている（特許文献４（２頁）参照）。
【先行技術文献】
【特許文献】
【０００８】
【特許文献１】特許第４７６８７７２号広報
【特許文献２】特開平０７−２５５９９５号広報
【特許文献３】登録実用新案第３１１２８１９号広報
【特許文献４】実公昭６３−０２４８８０号広報
【考案の概要】
【考案が解決しようとする課題】
【０００９】  本考案は、単一の線状体を曲折して成るハンガー本体の水平吊り渡しに、複数の洗濯ばさみと複数のビーズとを交互に通し、当該洗濯ばさみとビーズとを正逆方向に回転可能に配列したことを特徴とする物干しハンガーであって、なお、本考案に係る二個の物干しハンガーを一対として使用可能にした物干しハンガーの提供を目的とする。
【課題を解決するための手段】
【００１０】  上述した課題を解決するために、本考案は、単一の線状体に複数の洗濯ばさみとビーズとの通孔を交互に通し、正逆方向に回転可能な洗濯ばさみとビーズとを正逆方向に回転可能に配設したことを特徴としている。【００１１】  複数の洗濯ばさみと複数のビーズが交互に配設された線状体の右方に、吊り下げ用フックと垂直な吊り下げと肩掛けとを形成する長尺部を設け、前記線状体の左方に肩掛けと巻き付け用端部とを形成する短尺部を設ける。【００１２】  複数の洗濯ばさみとビーズとが配設された線状体の長尺部を、上方へ内向きに折り曲げて傾斜状の肩掛けを形成し、当該肩掛けから上部に延長して垂直状の吊り下げを形成し、当該吊り下げの上部を折り曲げて吊り下げ用のフックを形成する。【００１３】  前記線状体の短尺部を、上方へ内向きに折り曲げて傾斜状の肩掛けを形成し、当該肩掛けから上部に延長した巻き付け用端部を垂直状の吊り下げに巻き付けて長尺部と短尺部とを結合する。【００１４】  このように構成された本考案によれば、靴下やワイシャツ等の洗濯物を容易に吊るし、干し乾かすことができる。また、本考案に係る二個の物干しハンガーを対向させた状態で使用すると、一対の物干しハンガーとして、対向する複数の洗濯ばさみの挟み部で、複数の下着類の両側部をつまみ吊り下げることができる。
【考案の効果】
【００１５】  本考案は、以上説明したとおり、単一の線状体を折り曲げて形成されたハンガーの水平吊り渡しに、複数の洗濯ばさみと複数のビーズとに穿設した通孔を交互に通し、当該洗濯ばさみとビーズとが配設されるので、靴下等を洗濯ばさみの挟み部で挟み、略三角形状のフレームを形成する傾斜状の両肩掛けにワイシャツ等を掛けて使用することができる。【００１６】  また、本考案に係る二個の物干しハンガーを一対として使用するには、物干し竿に二個の当該ハンガーを対向させた状態で吊るし、ハンガーのフレームを形成する水平の吊り渡しに配設された洗濯ばさみは正逆方向に回転可能となる。したがって、下着類のサイズにこだわることなく、対向するハンガーの間隔を縮小又は拡大して使用することができる。
【図面の簡単な説明】
【００１７】
【図１】本考案の実施例を示す正面図である。
【図２】洗濯ばさみビーズとの配列状態を示す縮尺の正面図である。
【図３】線状体の折り曲げ状態を示す正面図である。
【図４】洗濯ばさみに通孔を穿設した状態を示す斜視図である。
【図５】円形状のビーズに通孔を穿設された状態を示す中央縦断面図である。
【考案を実施するための形態】
【００１８】  以下、本考案に係る実施の形態を図面に基づいて説明する。
【００１９】  図面において、図１は、本考案の実施例を示す正面図であって、単一の線状体Ａを折り曲げて略三角形状のフレーム２を形成し、当該フレーム２の水平な吊り渡し３に、複数の洗濯ばさみ１０と複数のビーズ１４とに穿設された通孔１２、１２１、１５を交互に通しフレーム２の水平な吊り渡し３に配設し、なお、前記フレーム２の上部中央から上方に延設された垂直状の吊り下げ６の上部に吊り下げ用のフック７を形成し、さらに、前記フレーム２の上部中央において、垂直な吊り下げ６と巻き付け用端部５とを撚り合わせて両者が結合されるとハンガー本体１が形成される。
【００２０】  図２は、単一の線状体Ａに複数の洗濯ばさみ１０と複数のビーズ１４とが交互に配列された状態を示す正面図であって、単一の線状体Ａには、正逆方向に回転可能にする通孔１２，１２１，１５が穿設された複数の洗濯ばさみ１０と複数のビーズ１４とを交互に配列し、前記洗濯ばさみ１０の右方に垂直な吊り下げ６と肩掛け４と吊り下げ用フック７とを形成する長尺部８を設け、前記洗濯ばさみ１０の左方には、肩掛け４１と巻き付け用端部５とを形成する短尺部９を設ける。
【００２１】  図３は、線状体Ａの折り曲げ状態を示す正面図であって、複数の洗濯ばさみ１０とビーズ１４とが正逆方向に回転可能に配設された線状体Ａの長尺部８を、上方へ内向きに折り曲げて傾斜状の肩掛け４を形成し、当該肩掛け４から上方へ延長された垂直状の吊り下げ６を形成し、当該吊り下げ６の上部を折り曲げて吊り下げ用のフック７を形成する。なお、線状体Ａの短尺部９を、上方へ内向きに折り曲げて傾斜状の肩掛け４１を形成し、当該肩掛け４１から上方へ延設した巻き付け用端部５と垂直な吊り下げ６とを撚り合わせて両者が結合されるとハンガー本体１が形成される。
【００２２】  図４は、本考案に係る洗濯ばさみ１０に通孔１２，１２１を穿設した状態を示す斜視図であって、洗濯ばさみの下部には、洗濯物を挟む挟み部１３，１３１を形成し、当該洗濯ばさみ１０の上部には、ハンガー本体１のフレーム２を形成する水平な吊り渡し３に配設するために通孔１２，１２１を穿設する。
【００２３】  図５は、円形状のビーズ１４に通孔１５を穿設した状態を示す中央縦断面図であって、ビーズ１４の中央部には、ハンガー本体１のフレーム２を形成する水平な吊り渡し３にビーズ１４を配設するための通孔１５を形成する。
【００２４】  本考案は、ハンガー本体１を構成するフレーム２の水平な吊り渡し３に、正逆方向に回転可能な複数の洗濯ばさみ１０とビーズ１４とを交互に配設したことを特徴とする物干しハンガーであって、洗濯ばさみ１０の挟み部１３，１３１で靴下等をつまみ、フレーム２を形成する傾斜状の肩掛け４、４１にワイシャツや下着類を掛けて干すことができる。
【００２５】  なお、子供用と大人用の洗濯物を一緒に干す場合は、下着類のサイズが異なるので、一般的に洗濯ばさみの対向間隔が広過ぎたり、または狭過ぎると下着類を吊り下げ難いことがあるので、本案に係る二個のハンガー本体１を一対として使用すると、物干し竿に二個の物干しハンガー１を対向させた状態で吊り下げると、対向する両ハンガー１に配設された複数の洗濯ばさみ１０の挟み部１３，１３１でサイズが異なる下着類の両側部をつまみ、正逆方向に回転可能な洗濯ばさみ１０の対向間隔を縮小又は拡大して使用することができる。
【符号の説明】
【００２６】  １  ハンガー本体
２  フレーム
３  水平な吊り渡し
４  傾斜状の肩掛け
５  巻き付け端部
６  垂直状の吊り下げ
７  吊り下げ用フック
８  長尺部
９  短尺部
１０  洗濯ばさみ
１１  押え部
１２  通孔
１３  挟み部
１４  ビーズ
１５  通孔
Ａ  線状体
【図１】
0003181722.tif 000003
【図２】
0003181722.tif 000004
【図３】
0003181722.tif 000005
【図４】
0003181722.tif 000006
【図５】
0003181722.tif 000007